(57)【特許請求の範囲】
【請求項１】
デバイスツーデバイス（Ｄ２Ｄ）通信の方法であって、
第１のＤ２Ｄ−ＵＥから少なくとも１つの第２のＤ２Ｄ−ＵＥへ、前記第１のＤ２Ｄ−ＵＥ及び前記少なくとも１つの第２のＤ２Ｄ−ＵＥが管理されたＤ２Ｄグループを形成するスケジューリング構成を提供し、
前記少なくとも１つの第２のＤ２Ｄ−ＵＥに、前記スケジューリング構成の予約されたチャネルでデータを送信するように選択的に権限を与え、
前記第１のＤ２Ｄ−ＵＥが前記少なくとも１つの第２のＤ２Ｄ−ＵＥの１つの第２のＤ２Ｄ−ＵＥに、前記第１のＤ２Ｄ−ＵＥが前記第２のＤ２Ｄ−ＵＥに送信する送信の時間リソースパターン（Ｔ−ＲＰＴ）にて前記データを送信する権限を与え、
前記第１のＤ２Ｄ−ＵＥから前記少なくとも１つの第２のＤ２Ｄ−ＵＥへ、前記スケジューリング構成に従って前記データを提供する、
ことを含む方法。
【請求項２】
前記予約されたチャネルは、前記スケジューリング構成のスケジューリング割り当て（ＳＡ）リソースインデックスに従って少なくとも部分的に定義される、請求項１に記載の方法。
【請求項３】
前記スケジューリング構成は、スケジューリング割り当て（ＳＡ）として少なくとも部分的に提供される、請求項１に記載の方法。
【請求項４】
前記予約されたチャネル上で前記第１のＤ２Ｄ−ＵＥと前記第２のＤ２Ｄ−ＵＥとの間に全二重通信が提供される、請求項１に記載の方法。
【請求項５】
前記少なくとも１つの第２のＤ２Ｄ−ＵＥは、複数のＤ２Ｄ−ＵＥを含み、前記第１のＤ２Ｄ−ＵＥは、前記第１のＤ２Ｄ−ＵＥが前記複数のＤ２Ｄ−ＵＥに送信する前記Ｔ−ＲＰＴにてデータを送信する権限を前記複数のＤ２Ｄ−ＵＥに与える、請求項１に記載の方法。
【請求項６】
前記第１のＤ２Ｄ−ＵＥは、前記複数のＤ２Ｄ−ＵＥに送信パターンを提供することによって、前記複数のＤ２Ｄ−ＵＥにデータを送信する権限を与え、送信パターンは、ＳＡにて提供され、提供されたＳＡのＳＡ−ＩＤフィールドは、送信パターンの対象である２つ以上のＤ２Ｄ−ＵＥのＤ２Ｄ−ＵＥを識別するために使用される、請求項５に記載の方法。
【請求項７】
デバイスツーデバイス（Ｄ２Ｄ）通信システムであって、
少なくとも１つの第２のＤ２Ｄ−ＵＥへ、第１のＤ２Ｄ−ＵＥ及び前記少なくとも１つの第２のＤ２Ｄ−ＵＥが管理されたＤ２Ｄグループを形成するスケジューリング構成を提供し、
前記少なくとも１つの第２のＤ２Ｄ−ＵＥに、前記スケジューリング構成の予約されたチャネルでデータを送信するように選択的に権限を与え、
前記少なくとも１つの第２のＤ２Ｄ−ＵＥの１つの第２のＤ２Ｄ−ＵＥに、前記第１のＤ２Ｄ−ＵＥが前記第２のＤ２Ｄ−ＵＥに送信する送信の時間リソースパターン（Ｔ−ＲＰＴ）にて前記データを送信する権限を与え、
前記少なくとも１つの第２のＤ２Ｄ−ＵＥへ、前記スケジューリング構成に従って前記データを提供する、
ように構成された前記第１のＤ２Ｄ−ＵＥを備える、
通信システム。
【発明の詳細な説明】
【技術分野】
【０００１】
本発明は、デバイスツーデバイス通信に関する。
＜略語＞
0006624203.tif 000002
【背景技術】
【０００２】
セルラー通信の分野における近年の進歩は、認可スペクトル（licensed spectrum）で動作する２つ以上のモバイルデバイス間の直接又はデバイスツーデバイス（Ｄ２Ｄ：device-to-device）通信をサポートすることを含む。これは主に、公共の安全の必要性とソーシャルネットワーキングアプリケーションのトレンドにより導かれた近接性ベースのサービス（proximity based service）の人気によって動機付けられている。直接通信を可能にすることにより、Ｄ２Ｄ対応のユーザ機器（Ｄ２Ｄ−ＵＥ）は、ネットワークカバレッジ内及び／又はネットワークカバレッジの外で通信するために、互いの近接性を利用することができる。このように、Ｄ２Ｄ−ＵＥは、高信頼性、高品質、多用途の音声及びデータ通信、及び高速データレートを経験することができる。また、Ｄ２Ｄ通信は、トラフィックオフロードによりセルラーネットワークの容量を増加することができる。
【０００３】
ミッションクリティカル通信（ＭＣＣ：mission-critical communications）では、ネットワークカバレッジの不足、リソースの不足、及びあらゆる種類のネットワーク障害の場合にかかわらず、いつでもどこでも通信できる必要がある。これは、特に緊急通信の場合に当てはまる。
【０００４】
図１は、Ｄ２Ｄ通信のためのミッションクリティカル通信モード対アプリケーションのチャート１００を示す。 特に、ダイレクトモード１２０、リピータモード１３０、ネットワークゲートウェイ（又は中継（relay））モード１４０、及びマルチウォッチ（multi-watch）又はマルチチャネルモニタリング／リスニングモード１５０を含むいくつかのＤ２Ｄ動作モード１１０が、音声１６１、ユーザメッセージ／データ１６２、レギュラーステータスレポート（例えば、位置報告又は定期的チェックイン）１６３及び／又は高速データ１６４を含む複数のアプリケーション１６０を参照して示されている。
【０００５】
ＭＣＣでは、図２のシステム１２１に示すように、別のユーザと直接的にプライベートコールを提供するため、又は図３のシステム１２５に示すように、複数の他のユーザとのグループコールを提供するために、Ｄ２Ｄ通信が使用され得る。どちらの場合も、ユーザは互いに近接しているが、ネットワークカバレッジ又はネットワークインフラストラクチャのサポートがある場合とない場合があり得る。コールは、音声コール、ショートバーストデータコール、又は高速データコールであってもよい。
【０００６】
また、例えば図４のシステム１３１に示すように、Ｄ２Ｄカバレッジ１３６を拡大するために、必要に応じてリピータＤ２Ｄ端末１３５を使用することができ、距離分離（distance separation）又はシャドーイング（すなわち、シャドウフェージング）により第１及び第２のＤ２Ｄ端末１３２、１３３が互いに範囲外であっても、第１のＤ２Ｄ端末１３２が第２のＤ２Ｄ端末１３３と通信することを可能にする。これは、第１のＤ２Ｄ端末１３２と第２のＤ２Ｄ端末１３３の両方がＤ２Ｄリピータ１３５の伝送範囲内にある場合に可能である。
【０００７】
さらに、例えば図５のシステム１４１に示すように、ネットワーク（１４４）のカバレッジエリア内にあるゲートウェイＤ２Ｄ端末１４２は、ネットワークカバレッジ外のＤ２Ｄ端末１４３が、その管理センター１４５、又はローカルエリアには存在しない同じ通信グループ又は他の通信グループに属する他のＤ２Ｄ端末１４６と通信するためのネットワーク接続サービスを提供するように構成され得る。
【０００８】
最後に、例えば図６のシステム１５１に示すように、モバイルコマンドユニットＤ２Ｄ端末１５２は、地理的にオーバーラップするローカルエリア１５９内の複数のＤ２Ｄグループ通信１５４、１５６及びセルラーネットワークへの無線インターフェース１５３、１５５、１５７を監視／聴取する（monitor/listen）ように構成され得る。モバイルコマンドユニットＤ２Ｄ端末１５２は、マルチウォッチ又はマルチチャネルモニタリング／リスニング能力を有してもよく、また、管理センター１６０と通信するため、及び同じローカルエリアで動作する異なる公共安全機関間の通信を可能にするために、周囲のＤ２Ｄ端末への接続性を提供するネットワークゲートウェイ能力を有してもよい。
【０００９】
3rd Generation Partnership Project（３ＧＰＰ）は、公衆安全通信を今後のリリース１２及び将来のリリース１３にサポートすることを目標として、既存のLong Term Evolution（ＬＴＥ）セルラーネットワークへのオーバーレイとしてＤ２Ｄ通信を含めることに取り組んでいる。プロフェッショナル・モバイル・ラジオ（ＰＭＲ：Professional Mobile Radio）及びランド・モバイル・ラジオ（ＬＭＲ：Land Mobile Radio）システムによって提供されるものと同様の、ミッションクリティカル（ＭＣ）プッシュトゥトーク（ＰＴＴ：Push-To-Talk）機能が、今後のリリースに含めるために優先順位を付けられた。 ＭＣ−ＰＴＴは、主にグループコールのサポートを対象としているが、プライベート又は個別の１対１のコールもサポートされる。３ＧＰＰで規定されているＭＣ−ＰＴＴは、ネットワーク内シナリオとネットワーク外シナリオの両方で動作する可能性があるが、デバイスがネットワーク外で動作しているときにすべての機能を利用できるわけではないことは一般に理解される。
【００１０】
３ＧＰＰ ＭＣ−ＰＴＴは、図７Ａ及び図７Ｂのシステム２００に示すように、開始ユーザ機器（initiating user equipment）２２１によって応答が期待されず、緊急グループコールのような優先順位に基づくグループコールが進行中の他のコールに取って代わることができる、通常のグループコール及びブロードキャストグループコールを含むことが予想される。また、他のユーザがコールを聞くことができるプライベート又は個別の１対１コールがサポートされ得る。ユーザによって開始されたコール（すなわち、音声コール又はユーザデータコール）は、アドホック／ランダム方式で発生することができ、各コールは、スケジューリング割り当て（ＳＡ：Scheduling Assignment）リソースインデックスをＳＡ（２２５）送信のためにランダムに選択することから始まり、続いて、関連ＭＡＣ−ＰＤＵ送信（２２６）が行われ、結果としてＳＡ期間内に半二重通信が行われる。
【００１１】
技術的には、予想される３ＧＰＰ ＭＣ−ＰＴＴシステムは、各コールがランダムイベントとして到着する基本ダイレクトモード又はＤ２Ｄモード（図２及び図３の１２１及び１２５に対応する）における音声及びユーザデータ通信に十分である。しかしながら、予想される３ＧＰＰ ＭＣ−ＰＴＴシステムは、図４の１３１に示すようなリピータ機能、図５の１４１に示すようなネットワーク中継機能、又は図６の１５１に示すようなマルチウォッチ又はマルチチャネルモニタリング／リスニング機能を提供することができない。
【００１２】
これらの場合、集中型／フィールドデバイス又はネットワーク中継デバイスは、接続されたデバイスから定期的に送信される大量のメッセージを受信し、その受信機にて干渉／衝突を引き起こす。例えば、図８のシステム３００を参照すると、孤立フィールド人員のための定期的な位置報告又は定期的なシステムチェックインが使用される場合、Ｄ２Ｄ端末２ ３０２、Ｄ２Ｄ端末３ ３０３からＤ２Ｄ端末ｋ ３０４が、フィールド制御Ｄ２Ｄ端末１ ３０１へデータを独立して同時に定期的に送信することができ、Ｄ２Ｄ端末受信機３０１にて衝突及び／又は干渉が生じる。その結果、Ｄ２Ｄ端末３０２、３０３、３０４等の他のＤ２Ｄ−ＵＥ送信機からの位置情報報告の喪失又はシステムチェックインの失敗が生じ得る。
【００１３】
したがって、Ｄ２Ｄ通信のための改良された方法及びシステムが必要である。
【００１４】
先行技術の刊行物が本明細書で言及される場合、この言及がオーストラリア又は他の国の当業者における共通の一般知識の一部を形成することの承認を構成するものではないことは明らかである。
【発明の概要】
【００１５】
本発明は、上述の欠点の少なくとも１つを少なくとも部分的に克服し得るか、又は消費者に有用又は商業的選択肢を提供し得る、デバイスツーデバイス（Ｄ２Ｄ）通信のための方法及びシステムに関する。
【００１６】
本発明の様々な実施形態は、公衆安全通信及び／又はセルラー通信のために割り当てられた認可スペクトル内のＤ２Ｄ（ピアツーピア（Ｐ２Ｐ）通信又はダイレクトモード通信とも呼ばれる）を提供する。そのような通信の一例は、3rd Generation Partnership Project（３ＧＰＰ）によって指定されたLong Term Evolution（ＬＴＥ）ネットワーク通信を含む。以下にさらに詳細に説明するように、本発明の実施形態は、ミッションクリティカル通信（ＭＣＣ）システムにおけるＰＴＴ個別コール、リピータＤ２Ｄ、及びネットワーク中継Ｄ２Ｄ又はネットワークゲートウェイＤ２Ｄにおけるユーザエクスペリエンスを改善する全二重通信を可能にするか又は提供し得る。
【００１７】
上記の目的を達成するために、本発明の１つの形態は、デバイスツーデバイス（Ｄ２Ｄ）通信の方法に広く存在し、前記方法は、
第１のＤ２Ｄ−ＵＥから少なくとも１つの第２のＤ２Ｄ−ＵＥへ、前記第１のＤ２Ｄ−ＵＥ及び前記少なくとも１つの第２のＤ２Ｄ−ＵＥが管理されたＤ２Ｄグループを形成するスケジューリング構成を提供し、
前記第１のＤ２Ｄ−ＵＥから前記少なくとも１つの第２のＤ２Ｄ−ＵＥへ、前記スケジューリング構成に従ってデータを提供する、ことを含む。
【００１８】
前記データは、前記スケジューリング構成の予約されたチャネルを介して送信されてもよい。
【００１９】
前記予約されたチャネルは、前記スケジューリング構成のスケジューリング割り当て（ＳＡ）リソースインデックスに従って少なくとも部分的に定義されてもよい。
【００２０】
前記スケジューリング構成は、スケジューリング割り当て（ＳＡ）として少なくとも部分的に提供されてもよい。例えば、前記スケジューリング構成は、ＳＡと関連ＭＡＣ−ＰＤＵとの組み合わせとして提供されてもよい。
【００２１】
前記方法は、前記少なくとも１つの第２のＤ２Ｄ−ＵＥに、前記予約されたチャネルでデータを送信するように選択的に権限を与えることをさらに含んでもよい。
【００２２】
前記第１のＤ２Ｄ−ＵＥは、前記少なくとも１つの第２のＤ２Ｄ−ＵＥの１つの第２のＤ２Ｄ−ＵＥに、前記第１のＤ２Ｄ−ＵＥが前記第２のＤ２Ｄ−ＵＥに送信する送信の時間リソースパターン（Ｔ−ＲＰＴ）にてデータを送信する権限を与えてもよい。
【００２３】
前記予約されたチャネル上で前記第１のＤ２Ｄ−ＵＥと前記第２のＤ２Ｄ−ＵＥとの間に全二重通信が提供されてもよい。
【００２４】
前記少なくとも１つの第２のＤ２Ｄ−ＵＥは、複数のＤ２Ｄ−ＵＥを含んでもよく、前記第１のＤ２Ｄ−ＵＥは、前記第１のＤ２Ｄ−ＵＥが前記複数のＤ２Ｄ−ＵＥに送信する前記Ｔ−ＲＰＴにてデータを送信する権限を前記複数のＤ２Ｄ−ＵＥに与える。
【００２５】
前記第１のＤ２Ｄ−ＵＥは、前記複数のＤ２Ｄ−ＵＥに送信パターンを提供することによって、前記複数のＤ２Ｄ−ＵＥにデータを送信する権限を与えてもよく、送信パターンは、ＳＡにて提供され、提供されたＳＡのＳＡ−ＩＤフィールドは、送信パターンの対象である２つ以上のＤ２Ｄ−ＵＥのＤ２Ｄ−ＵＥを識別するために使用される。
【００２６】
前記方法は、前記第１のＤ２Ｄ−ＵＥにて周波数領域干渉を管理するために、前記複数のＤ２Ｄ−ＵＥに周波数リソースインデックスを提供することをさらに含んでもよい。
【００２７】
前記方法は、前記第１のＤ２Ｄ−ＵＥと前記少なくとも１つの第２のＤ２Ｄ−ＵＥとの間にミッションクリティカルプッシュトゥトーク（ＭＣＰＴＴ）を提供することをさらに含んでもよい。
【００２８】
前記第１のＤ２Ｄ−ＵＥは、前記少なくとも１つの第２のＤ２Ｄ−ＵＥの１つのＤ２Ｄ−ＵＥと前記少なくとも１つの第２のＤ２Ｄ−ＵＥの他のＤ２Ｄ−ＵＥとが互いに通信することを可能にするリピータとして動作するように構成されてもよい。
【００２９】
前記方法は、前記第１のＤ２Ｄ−ＵＥ及び前記１つのＤ２Ｄ−ＵＥを含む第１の管理されたＤ２Ｄグループと、前記第１のＤ２Ｄ−ＵＥ及び前記他のＤ２Ｄ−ＵＥを含む第２の管理されたＤ２Ｄグループとを確立することをさらに含んでもよい。
【００３０】
前記第１のＤ２Ｄ−ＵＥと前記少なくとも１つの第２のＤ２Ｄ−ＵＥとの間のデータの同時送受信にＴ−ＲＰＴが使用されてもよい。
【００３１】
異なる第２のＤ２Ｄ−ＵＥからの前記データは周波数多重化されてもよい。
【００３２】
前記データは、Medium Access Control-Protocol Data Unit（ＭＡＣ−ＰＤＵ）を含んでもよく、前記１つのＤ２Ｄ−ＵＥに送信されるＭＡＣ−ＰＤＵと前記他のＤ２Ｄ−ＵＥに送信されるＭＡＣ−ＰＤＵとを区別するためにＳＡ−ＩＤが使用される。
【００３３】
前記第１のＤ２Ｄ−ＵＥは、前記少なくとも１つの第２のＤ２Ｄ−ＵＥにネットワークの接続性を提供するために、前記少なくとも１つの第２のＤ２Ｄ−ＵＥへのネットワーク中継として動作するように構成されてもよい。
【００３４】
前記スケジューリング構成は、前記第１のＤ２Ｄ−ＵＥにネットワークカバレッジを提供する基地局によって構成されたリソースプール構成を含んでもよい。
【００３５】
前記方法は、新たな到着Ｄ２Ｄ−ＵＥが前記ネットワーク中継サービスを使用することを可能にするために、前記第１のＤ２Ｄ−ＵＥによって、前記スケジューリング構成を定期的にブロードキャストすることをさらに含んでもよい。
【００３６】
前記データは、ＭＡＣ−ＰＤＵを含んでもよく、リソースプール構成を有するＭＡＣ−ＰＤＵとネットワーク発信の中継データを有するＭＡＣ−ＰＤＵとを区別するためにＳＡ−ＩＤが使用される。
【００３７】
前記少なくとも１つの第２のＤ２Ｄ−ＵＥは、提供されたネットワークカバレッジによってＭＣＣシステム内の前記少なくとも１つの第２のＤ２Ｄ−ＵＥを管理する管理センターと通信することができてもよい。前記第１のＤ２Ｄ−ＵＥは、前記管理センターの機能を備えてもよい。
【００３８】
別の形態では、本発明は、デバイスツーデバイス（Ｄ２Ｄ）通信システムに広く存在し、前記システムは、
少なくとも１つの第２のＤ２Ｄ−ＵＥへ、第１のＤ２Ｄ−ＵＥ及び前記少なくとも１つの第２のＤ２Ｄ−ＵＥが管理されたＤ２Ｄグループを形成するスケジューリング構成を提供し、
前記少なくとも１つの第２のＤ２Ｄ−ＵＥへ、前記スケジューリング構成に従ってデータを提供する、
ように構成された前記第１のＤ２Ｄ−ＵＥを備える。
【００３９】
特定の実施形態によれば、管理されたＤ２Ｄ通信（managed D2D communication）においてスケジューリング割り当て（ＳＡ）及び関連Medium Access Control - Protocol Data Unit（ＭＡＣ−ＰＤＵ）を送信するための方法が提供される。第１のＤ２Ｄ−ＵＥは、確立された管理された又は調整されたＤ２Ｄグループ（established managed or coordinated D2D group）内の管理する又は調整するＤ２Ｄ−ＵＥ（managing or coordinating D2D-UE）として割り当てられ又は構成されてもよい。前記第１のＤ２Ｄ−ＵＥは、権限付与信号を第２のＤ２Ｄ−ＵＥに提供してもよく、前記第２のＤ２Ｄ−ＵＥは、管理される又は調整されるＤ２Ｄ−ＵＥ（managed or coordinated D2D-UE）であるように割り当てられ又は構成される。前記第２のＤ２Ｄ−ＵＥは、前記第１のＤ２Ｄ−ＵＥから権限付与信号を受信しない限り、ＭＡＣ−ＰＤＵの送信を制限されてもよい。さらに、本発明の実施形態は、ミッションクリティカル通信（ＭＣＣ）システムでの使用のためにプッシュトゥトーク（ＰＴＴ）プライベートコール、リピーテッドＤ２Ｄ（repeated D2D）、又はネットワークゲートウェイ又は中継Ｄ２Ｄモードにおけるユーザエクスペリエンスを向上させる全二重通信を提供してもよい。
【００４０】
本発明の実施形態によれば、管理されたＤ２Ｄグループが一旦確立されると、前記管理するＤ２Ｄ−ＵＥは、予約されたチャネル上でＳＡ及び関連ＭＡＣ−ＰＤＵを送信する権限を常に有する。前記予約されたチャネルは、ＳＡリソースインデックス又はＳＡリソースインデックスの範囲として定義されてもよい。複数の管理されるＤ２Ｄ−ＵＥに一斉にアドレッシングされるＳＡ及び関連ＭＡＣ−ＰＤＵを送信する際に、前記管理するＤ２Ｄ−ＵＥは、関連ＭＡＣ−ＰＤＵのマッピングに、同じ時間リソースパターン送信（Ｔ−ＲＰＴ）又はオーバーラップしないＴ−ＲＰＴを使用してもよい。前記同じＴ−ＲＰＴを共有する複数の管理されるＤ２Ｄ−ＵＥに一斉にアドレッシングするＭＡＣ−ＰＤＵは、周波数多重化されてもよい。
【００４１】
前記管理するＤ２Ｄ−ＵＥは、前記管理されるＤ２Ｄ−ＵＥへの管理するＤ２Ｄ端末ＭＡＣ−ＰＤＵ送信パターンをマッピングするために送信されるＳＡ内のＳＡ ＩＤフィールドをさらに使用してもよく、前記管理されるＤ２Ｄ−ＵＥが対象の前記ＭＡＣ−ＰＤＵの受信及び復号を実行できるようにする。あるいは、管理されたＤ２Ｄグループにおいて、前記管理するＤ２Ｄ−ＵＥは、定期的又は必要に応じて、単一のＳＡ又は複数のＳＡを複数の管理されるＤ２Ｄ−ＵＥに一斉に送信してもよく、前記管理されるＤ２Ｄ−ＵＥが関連ＭＡＣ−ＰＤＵをＳＡ期間に符号化して送信することを可能にする権限付与信号及び制御情報を提供する。前記管理するＤ２Ｄ−ＵＥは、複数の管理されるＤ２Ｄ−ＵＥが、それらの送信するＭＡＣ−ＰＤＵのマッピングのために同じ時間リソースパターン送信（Ｔ−ＲＰＴ）又はオーバーラップしないＴ−ＲＰＴを共有することを可能にするスケジューリング関連情報を提供してもよい。同じＴ−ＲＰＴを共有する複数の管理されるＤ２Ｄ−ＵＥによって一斉に送信されるＭＡＣ−ＰＤＵは、周波数多重化されてもよい。
【００４２】
また、前記管理するＤ２Ｄ−ＵＥは、前記管理されるＤ２Ｄ−ＵＥによりしたがわれるべきＭＡＣ−ＰＤＵ送信パターンを区別するために、ＳＡ ＩＤフィールドを使用してもよい。さらに、管理されたＤ２Ｄグループにおいて、前記管理するＤ２Ｄ−ＵＥは、定期的又は必要に応じて、単一のＳＡ又は複数のＳＡを複数の管理されるＤ２Ｄ−ＵＥに一斉に送信してもよく、前記管理するＤ２Ｄ−ＵＥによって送信された関連ＭＡＣ−ＰＤＵを受信し復号するためのレイヤ１又は物理層制御情報及びスケジューリング情報を提供する。前記管理するＤ２Ｄ−ＵＥは、ＳＡ単独又はＳＡと関連ＭＡＣ−ＰＤＵとの組み合わせにおける同じＳＡ期間において、前記管理されるＤ２Ｄ−ＵＥにおける関連ＭＡＣ−ＰＤＵの符号化及び送信のためのスケジューリング関連情報及び権限付与信号を提供してもよい。前記スケジューリング関連情報は、前記管理されるＤ２Ｄ−ＵＥで自己復号可能な（self-decodable）アプリケーション制御アルゴリズム形式で現れてもよい。前記管理するＤ２Ｄ−ＵＥは、対象である管理されるＤ２Ｄ−ＵＥとの間のＭＡＣ−ＰＤＵの送受信をスケジューリングするために、前記同じＴ−ＲＰＴを使用してもよい。
【００４３】
特定の実施形態によれば、コール初期化Ｄ２Ｄ−ＵＥ（call-initialising D2D-UE）は、コールを受信するＤ２Ｄ−ＵＥ（call receiving D2D-UE）、すなわち前記管理されるＤ２Ｄ−ＵＥと管理されたＤ２Ｄグループを確立するために、管理するＤ２Ｄ−ＵＥとして自動的に動作してもよい。前記管理されるＤ２Ｄ−ＵＥとの接続を確立し、維持する際に、前記管理するＤ２Ｄ−ＵＥは、ＳＡを送信するためのＳＡ期間ごとにＳＡリソースインデックスを選択してもよく、関連ＭＡＣ−ＰＤＵを送信するためにＴ−ＲＰＴを予約し、前記管理されるＤ２Ｄ−ＵＥから前記関連ＭＡＣ−ＰＤＵを受信する。したがって、全二重通信は、ＳＡ期間に実現することができる。
【００４４】
他の実施形態によれば、第１のＤ２Ｄ−ＵＥは、「リピータＤ２Ｄ」モードで動作するように構成されてもよく、互いの範囲外の第２のＤ２Ｄ−ＵＥ及び第３のＤ２Ｄ−ＵＥが互いに通信することを可能にする。そのような場合、前記第１のＤ２Ｄ−ＵＥは、前記第２のＤ２Ｄ−ＵＥ及び前記第３のＤ２Ｄ−ＵＥに対する第１及び第２の管理されたＤ２Ｄグループをそれぞれ確立するために、管理するＤ２Ｄ−ＵＥとして自動的に動作してもよい。前記第２のＤ２Ｄ−ＵＥを第１の管理されたＤ２Ｄグループに、及び前記第３のＤ２Ｄ−ＵＥを第２の管理されたＤ２Ｄグループに構成する際に、前記第１のＤ２Ｄ−ＵＥは、２つの独立したＳＡをブロードキャストし、関連ＭＡＣ−ＰＤＵを周波数多重化方式で前記第２のＤ２Ｄ−ＵＥ及び第３のＤ２Ｄ−ＵＥにそれぞれ配信するために同じＴ−ＲＰＴを利用する。
【００４５】
Ｄ２Ｄリピートサービスを提供する場合、前記第１のＤ２Ｄ−ＵＥは、中継されたＭＡＣ−ＰＤＵを受信する及び／又は中継するためのＭＡＣ−ＰＤＵを送信するために、前記第２及び前記第３のＤ２Ｄ−ＵＥのための権利付与信号及びスケジューリング関連情報を提供するＳＡを定期的にブロードキャストしてもよい。前記第１のＤ２Ｄ−ＵＥは、中継されたＭＡＣ−ＰＤＵを一斉に送信するため又は異なる管理されたＤ２Ｄグループに中継するためのＭＡＣ−ＰＤＵを受信するために、同じＴ−ＲＰＴを使用してもよい。前記第１のＤ２Ｄ−ＵＥは、中継されたＭＡＣ−ＰＤＵを送信するため及び管理されたＤ２Ｄグループに中継するためのＭＡＣ−ＰＤＵを受信するために、同じＴ−ＲＰＴ又はオーバーラップしないＴ−ＲＰＴを使用してもよい。
【００４６】
特定の実施形態によれば、ネットワークカバレッジ内の第１のＤ２Ｄ−ＵＥは、ネットワークカバレッジの外にある他の周囲の第２のＤ２Ｄ−ＵＥにネットワーク接続サービスを提供する「ネットワーク中継Ｄ２Ｄ」モードで動作するように構成されてもよい。そのようなものとして、前記第１のＤ２Ｄ−ＵＥは、前記第２のＤ２Ｄ−ＵＥが、遠隔管理センター又はネットワークを介してのみ通信することができる他のＤ２Ｄ−ＵＥと通信することを可能にしてもよい。
【００４７】
前記第１のＤ２Ｄ−ＵＥは、「ネットワーク中継Ｄ２Ｄ」モードで動作するように構成されると、前記第２のＤ２Ｄ−ＵＥを有する管理された又は調整されたＤ２Ｄグループ（又は複数のグループ）を確立するために、管理する又は調整するＤ２Ｄ−ＵＥとして自動的に動作してもよい。前記管理されたＤ２Ｄグループ内で、前記第１のＤ２Ｄ−ＵＥは、前記第２の（管理される）Ｄ２Ｄ−ＵＥが、前記管理されたグループ内のＳＡ及び関連データの送受信のためのネットワークのモード２リソースプール構成を適用するように構成されてもよい。また、そのような場合に、前記第１のＤ２Ｄ−ＵＥは、そのネットワークのモード２リソースプール構成を、前記管理されたＤ２Ｄグループ内の前記第２のＤ２Ｄ−ＵＥに、ＭＡＣ−ＰＤＵ又はアプリケーション層データの形式で提供してもよい。前記第１のＤ２Ｄ−ＵＥは、ネットワークのモード２リソースプール構成を有する定期的にブロードキャストされるＭＡＣ−ＰＤＵと、中継されたＭＡＣ−ＰＤＵとを区別するために、ＳＡ−ＩＤを使用してもよい。モード２のネットワークリソースプール構成を管理されたグループに適用することにより、前記管理するＤ２Ｄ−ＵＥは、ネットワーク／ｅＮＢの介在なしにサブフレーム基準でＤ２Ｄ及びセルラー信号の送受信を調整することができる。前記第１のＤ２Ｄ−ＵＥは、前記管理されたＤ２Ｄ−ＵＥからのＭＡＣ−ＰＤＵ送信のための権利付与信号及び制御情報を提供するＳＡ又は複数のＳＡを、定期的にブロードキャストしてもよい。前記第１のＤ２Ｄ−ＵＥは、ＭＡＣ−ＰＤＵを送信するために同じＴ−ＲＰＴを共有する複数の管理されるＤ２Ｄ−ＵＥを構成してもよい。複数の管理されるＤ２Ｄ−ＵＥがＭＡＣ−ＰＤＵを送信するためのサブフレームを共有する場合、前記第１のＤ２Ｄ−ＵＥは、オーバーラップしない物理リソースブロック（ＰＲＢ）選択をもたらす自己由来（self-deriving）又は自己復号（self-decode）周波数リソースインデックスのためのカスタマイズされたアルゴリズムを用いて、前記管理されるＤ２Ｄ−ＵＥを事前構成（pre-configure）してもよい。
【００４８】
本発明の実施形態は、標準（ＰＴＴ）Ｄ２Ｄモードと共存するように構成することができる管理された（又は調整された）Ｄ２Ｄ通信を提供する。前記管理されたＤ２Ｄ通信は、複数のＤ２Ｄ−ＵＥが、集中型Ｄ２Ｄ−ＵＥへデータを一斉に且つ定期的に送信しようとする環境又はアプリケーションにおいて、Ｄ２Ｄ−ＵＥにおける潜在的な干渉を除去するのを助けることができる。
【００４９】
有利なことに、本発明の実施形態は、Ｄ２Ｄリソースのより効率的な利用を可能にする。
【００５０】
本発明の実施形態は、有利には、リピータ、ネットワーク中継、及びマルチウォッチ又はマルチチャネルモニタリング／リスニング機能を含むミッションクリティカル通信を提供する。
【００５１】
本発明の実施形態は、全二重通信を提供することができるため、標準プッシュトゥトーク（ＰＴＴ）プライベートコールと比較した場合に、プライベートコールにおけるユーザエクスペリエンスを向上させる。
【００５２】
本明細書に記載される特徴のいずれかは、本発明のスコープ内で本明細書に記載された任意の１つ以上の他の特徴と任意の組み合わせで組み合わせることができる。
【００５３】
本明細書中のいずれかの先行技術への言及は、先行技術が共通の一般知識の一部を形成することの承認又は示唆の任意の形式のものではなく、また、それらを意味するものとしてみなされるべきではない。
【図面の簡単な説明】
【００５４】
本発明の様々な実施形態を、以下の図面を参照して説明する。
【００５５】
【図１】Ｄ２Ｄ通信のためのミッションクリティカル通信モード対アプリケーションのチャート１００を示す図である。
【００５６】
【図２】ＭＣＣ個別又はプライベートコールのためのシステムを示す図である。
【００５７】
【図３】ＭＣＣグループコールのためのシステムを示す図である。
【００５８】
【図４】Ｄ２Ｄリピータを含むシステムを示す図である。
【００５９】
【図５】ネットワークゲートウェイ又は中継を含むシステムを示す図である。
【００６０】
【図６】マルチウォッチＤ２Ｄ通信を含むシステムを示す図である。
【００６１】
【図７Ａ】従来技術にかかるグループコール及びブロードキャストグループコールのためのＭＣ−ＰＴＴデザインを含むシステムを示す図である。
【図７Ｂ】従来技術にかかるグループコール及びブロードキャストグループコールのためのＭＣ−ＰＴＴデザインを含むシステムを示す図である。
【００６２】
【図８】従来技術にかかるＤ２Ｄシステムを示す図である。
【００６３】
【図９Ａ】本発明の一実施形態にかかるＤ２Ｄ通信システムを示す図である。
【図９Ｂ】本発明の一実施形態にかかるＤ２Ｄ通信システムを示す図である。
【００６４】
【図１０Ａ】本発明の一実施形態にかかる他のＤ２Ｄ通信システムを示す図である。
【図１０Ｂ】本発明の一実施形態にかかる他のＤ２Ｄ通信システムを示す図である。
【００６５】
【図１１Ａ】本発明の一実施形態にかかる他のＤ２Ｄ通信システムを示す図である。
【図１１Ｂ】本発明の一実施形態にかかる他のＤ２Ｄ通信システムを示す図である。
【００６６】
【図１２Ａ】本発明の一実施形態にかかるプライベートＰＰＴ音声コールで全二重通信を実現する管理されたＤ２Ｄ通信を提供するための別のＤ２Ｄ通信システムを示す図である。
【図１２Ｂ】本発明の一実施形態にかかるプライベートＰＰＴ音声コールで全二重通信を実現する管理されたＤ２Ｄ通信を提供するための別のＤ２Ｄ通信システムを示す図である。
【００６７】
【図１３】本発明の一実施形態にかかるいくつかのＤ２Ｄ−ＵＥ間で効率的にグループスケジュールされた通信を実現する管理されたＤ２Ｄ通信を提供するための別のＤ２Ｄ通信システムを示す図である。
【００６８】
【図１４Ａ】本発明の一実施形態にかかるＤ２Ｄリピータを実現する管理されたＤ２Ｄ通信を提供するための別のＤ２Ｄ通信システムを示す図である。
【図１４Ｂ】本発明の一実施形態にかかるＤ２Ｄリピータを実現する管理されたＤ２Ｄ通信を提供するための別のＤ２Ｄ通信システムを示す図である。
【００６９】
【図１５】本発明の一実施形態にかかるＤ２Ｄネットワークゲートウェイを実現する管理されたＤ２Ｄ通信を提供するための別のＤ２Ｄ通信システムを示す図である。
【００７０】
本発明の好ましい特徴、実施形態及び変形は、当業者が本発明を実施するのに十分な情報を提供する以下の詳細な説明から明らかになるであろう。発明を実施するための最良の形態は、前述の発明の概要のスコープを決して限定するものではない。
【発明を実施するための形態】
【００７１】
本発明の実施形態は、管理された（調整されたとも呼ばれる）Ｄ２Ｄ通信を提供する。以下でさらに詳細に説明するように、本発明の特定の実施形態は、３ＧＰＰリリース１２のＭＣＣ−ＰＴＴのような他のＭＣＣ−ＰＴＴモードに加えて、動作モードを提供する。
【００７２】
図９Ａ及び図９Ｂは、本発明の一実施形態にかかるデバイスツーデバイス（Ｄ２Ｄ）通信システム４００を示す。 Ｄ２Ｄ通信システム４００は、管理するＤ２Ｄ−ＵＥ ４０１と管理されるＤ２Ｄ−ＵＥ ４０３とを含み、管理するＤ２Ｄ−ＵＥ ４０１によってＳＡ及びＭＡＣ ＰＤＵが送信される基本的な管理されたＤ２Ｄ通信シナリオを示す。
【００７３】
管理するＤ２Ｄ−ＵＥ ４０１は、ｓａＳｕｂｆｒａｍｅ ４０６内のＳＡ ４０２を管理されるＤ２Ｄ−ＵＥ ４０３へ送信するために、ＳＡインデックス＃０等のＳＡリソースインデックスを選択する。ＳＡ ４０２は、ＭＡＣ−ＰＤＵ ４０４の形式のデータの受信及び復号化のために、送信の時間リソースパターン（Ｔ−ＲＰＴ：time resource pattern of transmission）、周波数リソース、タイミング調整（ＴＡ：timing adjustment）及び変調符号化方式（ＭＣＳ：modulation coding scheme）を管理されるＤ２Ｄ−ＵＥ ４０３へ提供する。Ｔ−ＲＰＴビットマップ４０７は、管理するＤ２Ｄ−ＵＥによってＭＡＣ−ＰＤＵ送信に割り当てられているサブフレームを示す。管理するＤ２Ｄ−ＵＥ ４０１によって送信されるＭＡＣ−ＰＤＵ ４０４は、Ｔ−ＲＰＴビットマップ４０７に関連するＳＡ期間（すなわち、リソースが割り当てられる期間）の第１の送信で送信される。
【００７４】
管理するＤ２Ｄ−ＵＥ ４０１は、送信されるＭＡＣ−ＰＤＵのマッピングを示すＭＡＣ ＰＤＵ送信パターン４０５を提供し、それによって、管理されるＤ２Ｄ−ＵＥ ４０３は、対象のＭＡＣ−ＰＤＵを受信し復号することができる。管理するＤ２Ｄ−ＵＥ ４０１は、ＭＡＣ ＰＤＵ送信パターン４０５を管理されるＤ２Ｄ−ＵＥ ４０２に提供するために８ビットのＳＡ ＩＤ文字列を利用する。
【００７５】
１つの管理されるＤ２Ｄ−ＵＥ ４０３が図９Ａに示されているが、システム４００がいくつかの管理されるＤ２Ｄ−ＵＥ ４０３を含んでもよいことを、当業者は容易に理解するであろう。
【００７６】
図１０Ａ及び図１０Ｂは、本発明の一実施形態にかかるＤ２Ｄ通信システム４１０を示す。Ｄ２Ｄ通信システム４１０は、図９Ａ及び図９ＢのＤ２Ｄ通信システム４００と同様であるが、ＳＡは、管理するＤ２Ｄ−ＵＥ ４１１によって送信され、ＭＡＣ ＰＤＵは、管理されるＤ２Ｄ−ＵＥ ４１３によって送信される。特に、管理されるＤ２Ｄ−ＵＥ ４１３は、管理するＤ２Ｄ−ＵＥ ４１１によって権限が与えられた場合に、所定の又は予約された通信チャネル又は通信チャネルの範囲で、ＭＡＣ−ＰＤＵ送信のみを実行することができる。
【００７７】
権限付与信号は、管理するＤ２Ｄ−ＵＥ ４１１によって定期的に送信されてもよく、管理されるＤ２Ｄ−ＵＥ ４１３からＭＡＣ−ＰＤＵを符号化、マッピング、及び送信するためのＴ−ＲＰＴ、周波数リソースインデックス又はインデックス範囲、及びＭＣＳを含む制御情報を提供する。権限付与信号は、特定のＳＡ期間の間、物理層インジケータ信号の形式でＳＡ ４１２に完全に含まれてもよい。あるいは、権限付与信号は、ＳＡ（図９Ａ及び図９ＢのＳＡ ４０２に対応する）及び関連ＭＡＣ−ＰＤＵ（図９Ａ及び図９ＢのＭＡＣ−ＰＤＵ ４０４に対応する）の組み合わせを含んでもよい。このように、権限付与信号は、上位レイヤシグナリング、すなわちＭＡＣ又はＲＬＣ信号の形式で現れ、スケジューリング関連情報を提供することができる。
【００７８】
管理するＤ２Ｄ−ＵＥ ４１１は、管理されるＤ２Ｄ−ＵＥ ４１３によって使用されるＭＡＣ ＰＤＵ送信パターン４１５を示すために、ＳＡ ＩＤビット文字列を利用することができる。そのようなものとして、複数の管理されるＤ２Ｄ−ＵＥ ４１３のそれぞれに、別個のＭＡＣ ＰＤＵ送信パターン４１５を提供することができる。
【００７９】
図１１Ａ及び図１１Ｂは、本発明の一実施形態にかかるＤ２Ｄ通信システム４２０を示す。Ｄ２Ｄ通信システム４２０は、図９Ａ及び図９ＢのＤ２Ｄ通信システム４００、及び図１０Ａ及び図１０ＢのＤ２Ｄ通信システム４１０と同様であるが、ＳＡ期間中に全二重通信を提供するように構成される。
【００８０】
管理するＤ２Ｄ−ＵＥ ４２１は、後に送信されるＭＡＣ−ＰＤＵ ４２４の受信及び復号のための情報を提供し、さらに管理されるＤ２Ｄ−ＵＥ ４２３に、同じＳＡ期間内にＭＡＣ−ＰＤＵ４２５を送信する権限を与えるＳＡ ４２２を送信するために、ＳＡリソースインデックス、例えばＳＡインデックス＃０を選択する。管理するＤ２Ｄ−ＵＥ ４２１は、所定の規則にしたがって、又は他の適切な方法で、ＳＡリソースインデックスをランダムに選択してもよい。
【００８１】
管理するＤ２Ｄ−ＵＥ ４２１及び管理されるＤ２Ｄ−ＵＥ ４２３は、ＭＡＣ−ＰＤＵを送受信するためのＳＡ期間内に同じＴ−ＲＰＴ又は複数のＴ−ＲＰＴを共有してもよい。管理するＤ２Ｄ−ＵＥ ４２１により送信されるＭＡＣ−ＰＤＵ及び管理されるＤ２Ｄ−ＵＥ ４２３により送信されるＭＡＣ−ＰＤＵは、ＭＡＣ−ＰＤＵ基準で時間多重化される。ここで、管理するＤ２Ｄ−ＵＥにより送信されるＭＡＣ−ＰＤＵ ４２４は、Ｔ−ＲＰＴの最初の４つのサブフレーム４２６に常にマッピングされ、残りのサブフレーム４２７は、管理するＤ２Ｄ−ＵＥ ４２１又は管理されるＤ２Ｄ−ＵＥ ４２３のいずれかによって送信されるＭＡＣ−ＰＤＵに割り当てられる。いずれにしても、送信されるＭＡＣ−ＰＤＵは、管理するＤ２Ｄ−ＵＥ ４２１によって提供されるＭＡＣ−ＰＤＵ送信パターン４０５及び４１５にしたがう。
【００８２】
図１２Ａ及び図１２Ｂは、プライベートＰＰＴ音声コールで全二重通信を実現する管理されたＤ２Ｄ通信を提供するためのＤ２Ｄ通信システム４５０を示す。全二重通信は、半二重通信に比べて音声会話のユーザエクスペリエンスを向上させる。
【００８３】
第１のデバイス４５１は、第２のデバイス４５５の番号を入力するために使用され、第２のデバイス４５５との接続を確立するために、ＰＴＴボタンが押されて保持される４５２。第１のデバイス４５１によって送信されたＳＡ ４５３は、音声パケット伝送のための順方向チャネル４５４及び逆方向チャネル４５７を予約するために使用される。コールに応答するために第２のデバイス４５５にてＰＴＴボタンが押されて保持され４５６てもよく、ＰＴＴボタンを保持し続けることにより、ＳＡ ４５３により予約されたＴ−ＲＰＴ上で音声パケット４５７が送信される。
【００８４】
第１のデバイス４５１は、最初は管理するＤ２Ｄ−ＵＥであり、第２のデバイス４５５は、最初は管理されるＤ２Ｄ−ＵＥである。しかし、第１及び第２のデバイス４５１、４５５の管理する及び管理される役割を、シームレスに交換することができる。例えば、第２のデバイス４５５上のＰＴＴボタンが保持されたまま、第１のデバイス４５１上のＰＴＴボタンが解放されると、第２のデバイス４５５は、４５０．ａに示すように、ユーザの介入なしに定期的にＳＡを送信することによって、通信を維持する管理する役割を引き受ける。
【００８５】
図１３は、いくつかのＤ２Ｄ−ＵＥ間で効率的にグループスケジュールされた通信を実現する管理されたＤ２Ｄ通信を提供するためのＤ２Ｄ通信システム４３０を示す。
【００８６】
管理するＤ２Ｄ−ＵＥ ４３１は、ＳＡ期間内に２つ以上のＳＡリソースインデックスを選択することによって、複数のＳＡ ４３５、４３６、４３７及び関連ＭＡＣ−ＰＤＵ ４３８、４３９、４４０を異なる管理されるＤ２Ｄ−ＵＥ ４３２、４３３、４３４へ送信する。複数のＳＡ及び関連ＭＡＣ−ＰＤＵは、単一のＴ−ＲＰＴ上で送信され、管理するＤ２Ｄ−ＵＥ ４３１によって送信される複数のＭＡＣ−ＰＤＵは、周波数多重化される。あるいは、Ｔ−ＲＰＴにＭＡＣ−ＰＤＵを送信するための周波数リソースが不十分である場合、オーバーラップしない複数のＴ−ＲＰＴを使用することができる。
【００８７】
また、管理するＤ２Ｄ−ＵＥ ４３１は、位置報告のような定期的な報告を実行するすべての管理されるＤ２Ｄ−ＵＥ ４３２、４３３、４３４のためのスケジューリング関連情報を含む上位レイヤ設定（high layer configuration）を提供するために、単一のＳＡ（すなわち、ＳＡ ４３５＝ＳＡ ４３６＝ＳＡ ４２７）及び関連ＭＡＣ−ＰＤＵ（すなわち、ＭＡＣ−ＰＤＵ ４３８＝ＭＡＣ−ＰＤＵ ４３９＝ＭＡＣ−ＰＤＵ ４４０）をブロードキャストしてもよい。管理されるＤ２Ｄ−ＵＥ ４３２、４３３、４３４は、ＳＡ ４３５、４３６、４３７及び関連ＭＡＣ−ＰＤＵ ４３８、４３９、４４０を受信すると、割り当てられたＴ−ＲＰＴ及び割り当てられた周波数リソース、又は自己由来の周波数リソース（self-derived frequency resource）を使用して、管理するＤ２Ｄ−ＵＥ ４３１により提供される設定にしたがって、ＭＡＣ−ＰＤＵを送信してもよい。同一のＴ−ＲＰＴを共有する管理されるＤ２Ｄ−ＵＥのために、ＭＡＣ−ＰＤＵは、周波数多重化され、管理するＤ２Ｄ−ＵＥ ４３１が複数の管理されるＤ２Ｄ−ＵＥ ４３２、４３３、４３４からのＭＡＣ−ＰＤＵを同時に受信できるようにし、受信機干渉管理を可能にする。
【００８８】
図１４Ａ及び図１４Ｂは、Ｄ２Ｄリピータを実現する管理されたＤ２Ｄ通信を提供するためのＤ２Ｄ通信システム５００を示す。特に、第１のＤ２Ｄ−ＵＥ ５０１は、互いの範囲外にある第２及び第３のＤ２Ｄ−ＵＥ ５０２、５０３が互いに通信することを可能にするリピータとして機能する。
【００８９】
第１のＤ２Ｄ−ＵＥ ５０１、第２のＤ２Ｄ−ＵＥ ５０２、及び第３のＤ２Ｄ−ＵＥ ５０３は、ネットワークカバレッジの下にない。しかし、第２のＤ２Ｄ−ＵＥ ５０２及び第３のＤ２Ｄ−ＵＥ ５０３は、第１のＤ２Ｄ−ＵＥ ５０１との伝送範囲内であるが、第２のＤ２Ｄ−ＵＥ ５０２及び第３のＤ２Ｄ−ＵＥ ５０３は、互いに伝送範囲外である。この範囲外は、距離分離及び／又はシャドーイング（すなわち、シャドウフェージング）によって引き起こされる可能性がある。
【００９０】
「リピータＤ２Ｄ」モードで動作するように構成されている場合、第１のＤ２Ｄ−ＵＥ ５０１は、範囲外の第２のＤ２Ｄ−ＵＥ ５０２及び第３のＤ２Ｄ−ＵＥ ５０３と、第１及び第２の管理されたＤ２Ｄ通信グループの形式で双方向通信を確立してもよい。第１の管理されたＤ２Ｄ通信グループは、管理するＤ２Ｄ−ＵＥ ５０１及び管理されるＤ２Ｄ−ＵＥ ５０２を含む。第２の管理されたＤ２Ｄ通信グループは、管理するＤ２Ｄ−ＵＥ ５０１及び管理されるＤ２Ｄ−ＵＥ ５０３を含む。ＳＡ期間において、第１のＤ２Ｄ−ＵＥ ５０１は、２つの独立したＳＡリソースインデックスの形式で制御情報を提供することによって、第２のＤ２Ｄ−ＵＥ ５０２及び第３のＤ２Ｄ−ＵＥ ５０３を設定することができる。具体的には、第１のＤ２Ｄ−ＵＥ ５０１は、第２のＤ２Ｄ−ＵＥ ５０２への設定を有するＳＡ及びそれの関連ＭＡＣ−ＰＤＵ ５０４と、第３のＤ２Ｄ−ＵＥ ５０３への設定を有するＳＡ及びそれの関連ＭＡＣ−ＰＤＵ ５０５とを、ブロードキャストしてもよい。
【００９１】
第１のＤ２Ｄ−ＵＥ ５０１は、第２のＤ２Ｄ−ＵＥ ５０２及び第３のＤ２Ｄ−ＵＥ ５０３を対象としたＭＡＣ−ＰＤＵ ５０４をマッピングするために、同じＴ−ＲＰＴを使用してもよい。第１のＤ２Ｄ−ＵＥ ５０１は、後に到来するＤ２Ｄ−ＵＥ（図示せず）がその「リピータＤ２Ｄ」モードサービスを利用できるように、構成５０４及び５０５を定期的にブロードキャストしてもよい。ＳＡ期間に、第１のＤ２Ｄ−ＵＥ ５０１は、制御情報を提供するＳＡ ５０６を第１の管理されたＤ２Ｄグループに、及び／又はＳＡ ５０７を第２の管理されたＤ２Ｄグループに、定期的にブロードキャストしてもよい。
【００９２】
制御情報は、中継されたＭＡＣ−ＰＤＵ ５０９、５１１の受信／復号のために使用されることができ、また、管理されるＤ２Ｄ−ＵＥ ５０２、５０３が中継するためのデータ、すなわちＭＡＣ−ＰＤＵ ５０８、５１０を送信するための許可信号を含む。
【００９３】
中継されたＭＡＣ−ＰＤＵ ５１１、５０９の送信及び中継するためのＭＡＣ−ＰＤＵ ５０８、５１０の受信に際して、第１のＤ２Ｄ−ＵＥ ５０１は、レイテンシーを改善し、干渉を管理するために、多重化を実行してもよい。
【００９４】
特に、中継されたＭＡＣ−ＰＤＵ ５１１、５０９を第２のＤ２Ｄ−ＵＥ ５０２及び第３のＤ２Ｄ−ＵＥ ５０３に同時に送信するために、同じＴ−ＲＰＴを使用してもよく、第２のＤ２Ｄ−ＵＥ ５０２用であるＭＡＣ−ＰＤＵ ５１１及び第３のＤ２Ｄ−ＵＥ（５０３）用であるＭＡＣ−ＰＤＵ ５０９は、周波数多重化される。同様に、第２のＤ２Ｄ−ＵＥ ５０２及び第３のＤ２Ｄ−ＵＥ ５０３から中継されるＭＡＣ−ＰＤＵ ５０８、５１０を同時に受信するために、同じＴ−ＲＰＴを使用してもよく、第２のＤ２Ｄ−ＵＥ ５０２から中継されるＭＡＣ−ＰＤＵ ５０８及び第３のＤ２Ｄ−ＵＥ ５０３から中継されるＭＡＣ−ＰＤＵ ５１０は、周波数多重化される。
【００９５】
同じＴ−ＲＰＴ又はオーバーラップしないＴ−ＲＰＴは、第２のＤ２Ｄ−ＵＥ ５０２との間で中継されたＭＡＣ−ＰＤＵ ５１１を送信するため、及び中継されるＭＡＣ−ＰＤＵ ５０８を受信するために使用されてもよく、第３のＤ２Ｄ−ＵＥ ５０３との間で中継されたＭＡＣ−ＰＤＵ ５０９を送信するため、及び中継されるＭＡＣ−ＰＤＵ ５１０を受信するために使用されてもよい。
【００９６】
このように、全二重化は、低い（１ ＳＡ期間）レイテンシーを提供することができる。
【００９７】
図１５は、Ｄ２Ｄネットワークゲートウェイを実現する管理されたＤ２Ｄ通信を提供するためのＤ２Ｄ通信システム６００を示す。特に、ネットワークカバレッジの下にある第１のＤ２Ｄ−ＵＥ ６２０は、ネットワークカバレッジ外の複数の第２のＤ２Ｄ−ＵＥ ６２２、６２３、６２４、及び６２５にネットワーク接続サービスを提供する。そのようなものとして、第２のＤ２Ｄ−ＵＥ ６２２、６２３、６２４、及び６２５は、例えば定期的な位置報告を提供する際に、管理センター６５０と通信することができ、又は、伝送範囲内にないがネットワークを介して到達することができる他のＤ２Ｄ−ＵＥと通信することができる。ＭＣＣでは、管理センター６５０は、一般に、ＭＣＣ Ｄ２Ｄ−ＵＥ ６２２、６２３、６２４、及び６２５を管理する（administer及びmanage）サブシステムである。
【００９８】
第１のＤ２Ｄ−ＵＥ ６２０は、管理するＤ２Ｄ−ＵＥとして機能し、且つ定期的に又は必要に応じてネットワーク中継サービスを必要とする管理されるＤ２Ｄ−ＵＥとして機能する第２のＤ２Ｄ−ＵＥ ６２２、６２３、６２４、６２５と管理されたＤ２Ｄグループ６２１を確立する。管理するＤ２Ｄ−ＵＥ ６２０は、管理されたグループ内のＳＡ及び関連ＭＡＣ−ＰＤＵの送信及び／又は受信のために、ネットワーク６１０のモード２リソースプール構成（mode-2 resource pool configuration）を適用する。また、管理するＤ２Ｄ−ＵＥ ６２０は、管理されたグループ内の管理されるＤ２Ｄ−ＵＥに、モード２ネットワークリソースプール構成を有するＭＡＣ−ＰＤＵを、上位レイヤシグナリング又はアプリケーションデータの形式で定期的にブロードキャストしてもよい。Ｄ２Ｄ−ＵＥ ６２０は、モード２ネットワークリソースプール構成をその管理されたグループに適用することによって、ネットワーク／ｅＮＢの介在なしにサブフレーム基準でＤ２Ｄ及びセルラー信号の送受信を調整する（coordinate）ことができる。
【００９９】
管理するＤ２Ｄ−ＵＥ ６２０は、モード２ネットワークリソースプール構成を有する定期的にブロードキャストされるＭＡＣ−ＰＤＵと、ネットワーク発信の中継されたＭＡＣ−ＰＤＵ（network originating relayed MAC-PDU）とを区別するためにＳＡ−ＩＤを使用してもよい。そのようなものとして、現在及び後の管理されるＤ２Ｄ−ＵＥは、その中継サービスを利用してもよい。管理されるＤ２Ｄ−ＵＥ ６２２、６２３、６２４、６２５は、グループを管理するＤ２Ｄ−ＵＥ ６２０によって権限を与えられない限り、管理されたＤ２Ｄグループ内で、中継するためのＭＡＣ−ＰＤＵを送信することができない。定期的な中継サービスのために、管理するＤ２Ｄ−ＵＥ ６２０は、管理されるＤ２Ｄ−ＵＥ ６２２、６２３、６２４、及び６２５が中継するためのＭＡＣ−ＰＤＵを送信するためのスケジュール情報６３０を提供するために、ＳＡ ６３１又はＳＡ ６３１とＭＡＣ ＰＤＵ ６３２との組み合わせに対する権限付与信号を定期的にブロードキャストする。管理するＤ２Ｄ−ＵＥ ６２０は、ＭＡＣ−ＰＤＵを送信するために同じＴ−ＲＰＴ又はオーバーラップしないＴ−ＲＰＴを使用するために、管理されるＤ２Ｄ−ＵＥをスケジュールしてもよく、同じＴ−ＲＰＴを共有する管理されるＤ２Ｄ−ＵＥのＭＡＣ−ＰＤＵは、管理するＤ２Ｄ−ＵＥ ６２０の受信機で干渉管理のために周波数多重化される。
【０１００】
特定の実施形態によれば、「マルチウォッチ」又は「マルチチャネルモニタリング／リスニング」Ｄ２Ｄ通信が提供されてもよい。そのような場合、第１のＤ２Ｄ−ＵＥは、複数のＤ２Ｄグループとセルラーネットワークとの会話を同時に監視又は聴取する能力を有するネットワークカバレッジの下にあってもよい。第１のＤ２Ｄ−ＵＥは、１つの第１のスピーカ及び関連するマイクロホン、及び１つ又は複数の第２のスピーカを有してもよい。第１のスピーカ及び関連するマイクロホンは、第１のＤ２Ｄ−ＵＥにより、管理された通信グループ内の音声通信に積極的に参加してこれを制御するために使用されてもよく、第２のスピーカは、第１のＤ２Ｄ−ＵＥが、ＭＣＰＴＴグループ、管理されたＤ２Ｄグループ、又はセルラーチャネルであり得る他のＤ２Ｄグループを監視又は聴取することを可能にする。
【０１０１】
上述した本発明の実施形態は、ミッションクリティカル通信に適した管理された又は調整されたＤ２Ｄ通信を導入し、管理される又は調整されるＤ２Ｄ−ＵＥは、管理する又は調整するＤ２Ｄ−ＵＥから権限付与を受信しない限り、送信を制限される。
【０１０２】
Ｄ２Ｄ−ＵＥ通信システムは、Ｄ２Ｄリピータ又はＤ２Ｄネットワーク中継器を含んでもよく、全二重通信におけるユーザエクスペリエンスを向上させることができる。
【０１０３】
（もしあれば）本明細書及び特許請求の範囲において、「含んでいる（comprising）」という単語及びその派生語である「含む（comprises）」及び「含む（comprise）」は、記載された各整数を含むが、１以上のさらなる整数を含むことを排除するものではない。
【０１０４】
本明細書を通して「一実施形態」又は「実施形態」という言及は、実施形態に関連して説明された特定の特徴、構造又は特性が、本発明の少なくとも１つの実施形態に含まれることを意味する。したがって、本明細書を通して様々な場所における「一実施形態では（において）」又は「実施形態では（において）」という語句の出現は、必ずしも全て同一の実施形態を指すわけではない。さらに、特定の特徴、構造又は特性は、１又は複数の組み合わせで、任意の適切な手法により組み合わせてもよい。
【０１０５】
法令の遵守において、本発明は、構造的又は方法的特徴の多少を言語で具体的に記載されている。本明細書に記載の手段が本発明を実施する好ましい形態を含むことから、本発明は、図示又は説明した特定の特徴に限定されるものではないことを理解されるべきである。したがって、本発明は、（もしあれば）当業者により適切に解釈される添付の特許請求の適切な範囲内で任意の形態又は変形が主張される。
【０１０６】
この出願は、２０１５年２月１２日に出願されたオーストラリア特許仮出願第２０１５９００４４９号を基礎とする優先権を主張し、その開示の全てをここに取り込む。
【符号の説明】
【０１０７】
４００、４１０、４２０、４３０、４５０、５００、６００    Ｄ２Ｄ通信システム
４０１、４０３、４１１、４１３、４２１、４２３、４３１〜４３４、４５１、４５５、５０１〜５０３、６２０、６２２〜６２５    Ｄ２Ｄ−ＵＥ
【図１】
0006624203.tif 000003
【図２】
0006624203.tif 000004
【図３】
0006624203.tif 000005
【図４】
0006624203.tif 000006
【図５】
0006624203.tif 000007
【図６】
0006624203.tif 000008
【図７Ａ】
0006624203.tif 000009
【図７Ｂ】
0006624203.tif 000010
【図８】
0006624203.tif 000011
【図９Ａ】
0006624203.tif 000012
【図９Ｂ】
0006624203.tif 000013
【図１０Ａ】
0006624203.tif 000014
【図１０Ｂ】
0006624203.tif 000015
【図１１Ａ】
0006624203.tif 000016
【図１１Ｂ】
0006624203.tif 000017
【図１２Ａ】
0006624203.tif 000018
【図１２Ｂ】
0006624203.tif 000019
【図１３】
0006624203.tif 000020
【図１４Ａ】
0006624203.tif 000021
【図１４Ｂ】
0006624203.tif 000022
【図１５】
0006624203.tif 000023